(57)【要約】【課題】例えば、映画の撮影時においてのテスト撮影時にオートフォーカスを用いて所定の被写体に高精度にピント合わせを行い、そのフォーカス位置を記録する旨の指示を行うと、本番撮影時のマニュアルフォーカス時に前記記憶したフォーカス位置が表示手段に表示されるようにすることにより、本番撮影時のマニュアルフォーカス時において、テスト撮影時にピント合わせしたときのフォーカス位置を容易且つ確実に再現できるようにしたレンズ制御システムを提供する。【解決手段】撮影システムの表示器の画面７０には、現在のフォーカス位置を表示するための距離メモリ７２と指標７４が表示される。その画面上に、オートフォーカスにより事前にピント合わせして記録したフォーカス位置がマーク７６により表示される。【選択図】      図４
2004258086.tif 000002
【特許請求の範囲】
【請求項１】
撮影レンズのフォーカスを駆動して自動でピント合わせを行うオートフォーカス手段と、前記撮影レンズのフォーカスを所定の操作部材のマニュアル操作により駆動するマニュアルフォーカス手段とを備えたレンズ制御システムにおいて、
前記オートフォーカス手段によるピント合わせにより設定されたフォーカス位置の記録を指示する指示手段と、
前記指示手段により記録が指示されたフォーカス位置を、前記マニュアルフォーカス手段によるピント合わせ時に参照可能に表示するフォーカス記録位置表示手段と、
を備えたことを特徴とするレンズ制御システム。
【請求項２】
前記フォーカス記録位置表示手段は、現在のフォーカス位置が表示される表示画面上に、前記指示手段により記録が指示されたフォーカス位置と、現在のフォーカス位置とが一致したか否かを識別可能に表示することを特徴とする請求項１のレンズ制御システム。
【発明の詳細な説明】
【０００１】
【発明の属する技術分野】
本発明はレンズ制御システムに係り、特にオートフォーカスとマニュアルフォーカスとが可能なレンズ制御システムに関する。
【０００２】
【従来の技術】
一般に映画の撮影では、撮影中のフォーカス動作を意図的に行えるように、また、確実に所望の被写体にピントを合わせられるようにマニュアル操作によりフォーカス操作が行われている。また、本番の撮影前にカメラや撮影レンズの撮影条件を確認、設定するためのテスト撮影が行われているが、このとき、本番撮影時のフォーカス位置の確認が行われ、本番撮影時に反映されている。例えば、本番撮影時に撮影を継続しながらフォーカスをマニュアル操作してピントを合わせる被写体を変える場合、テスト撮影時にマニュアル操作部材（フォーカスリング等）を操作して各被写体に対するピント合わせを順に行い、各被写体にピントが合ったときのフォーカスリングの操作位置を例えばフォーカスリングにテープなどを貼り付けてマーキングしておく。そして、本番撮影時には、それらのマーキングを参照してフォーカスリングを操作することで、テスト撮影時に各被写体にピント合わせしたフォーカス位置を再現している。
【０００３】
【特許文献１】
特開昭６３−２８７９３７号公報
【０００４】
【特許文献２】
特願２００１−２５３８７１号公報
【０００５】
【発明が解決しようとする課題】
しかしながら、上述のような方法ではマーキングの作業に手間がかかるという問題があった。また、テスト撮影時に各被写体にピント合わせしたときの精度もマニュアル操作では限界がある。特に、テスト撮影時には、ピント合わせの際のフォーカスの動作は問題とならないため、高精度でのピント合わせが可能なオートフォーカスを用いることが可能であるが、従来は、テスト撮影時においてもオートフォーカスは利用されていない。
【０００６】
本発明はこのような事情に鑑みてなされたもので、オートフォーカスにより事前に高精度でピント合わせしたフォーカス位置を、マニュアルフォーカスにより容易に再現できるようにしたレンズ制御システムを提供することを目的とする。
【０００７】
【課題を解決するための手段】
前記目的を達成するために、請求項１に記載の発明は、撮影レンズのフォーカスを駆動して自動でピント合わせを行うオートフォーカス手段と、前記撮影レンズのフォーカスを所定の操作部材のマニュアル操作により駆動するマニュアルフォーカス手段とを備えたレンズ制御システムにおいて、前記オートフォーカス手段によるピント合わせにより設定されたフォーカス位置の記録を指示する指示手段と、前記指示手段により記録が指示されたフォーカス位置を、前記マニュアルフォーカス手段によるピント合わせ時に参照可能に表示するフォーカス記録位置表示手段と、を備えたことを特徴としている。
【０００８】
また、請求項２に記載の発明は、請求項１に記載の発明において、前記フォーカス記録位置表示手段は、現在のフォーカス位置が表示される表示画面上に、前記指示手段により記録が指示されたフォーカス位置と、現在のフォーカス位置とが一致したか否かを識別可能に表示することを特徴としている。
【０００９】
本発明によれば、オートフォーカスによりピント合わせしたときのフォーカス位置が所定の指示手段の指示によって記録され、マニュアルフォーカスによるピント合わせ時に所定の表示手段にその位置が表示されるため、オートフォーカスによりピント合わせしたときのフォーカス位置を容易にマニュアルフォーカスによるピント合わせ時に再現することができる。従って、本発明を映画撮影用のレンズ制御システムに用いた場合に、テスト撮影時にオートフォーカスを用いて所定の被写体に高精度にピント合わせを行い、本番撮影時にテスト撮影時のフォーカス位置をマニュアルフォーカスにより容易に再現することができるようになるため好適である。
【００１０】
【発明の実施の形態】
以下、添付図面に従って本発明に係るレンズ制御システムの好ましい実施の形態について詳説する。
【００１１】
図１は、本発明が適用される動画用の撮影システムの構成を示したブロック図である。尚、本実施の形態における撮影システムは、映画撮影に適したシステムとなっている。
【００１２】
同図において撮影レンズ（光学系）１０は、撮像素子や映像信号処理回路等を搭載したカメラ本体１２にマウントによって装着されている。撮影レンズ１０は、鏡胴内に配置された可動の光学部品の種類に対応してフォーカス部１０Ａ、ズーム部１０Ｂ、アイリス部１０Ｃ、トラッキング部１０Ｄとに分けられており、フォーカス部１０Ａには主に被写体にピントを合わせるために光軸方向に駆動されるフォーカスレンズ（群）が配置され、ズーム部１０Ｂには撮影レンズ１０の焦点距離を変更するために光軸方向に駆動されるズームレンズ（群）が配置されている。アイリス部１０Ｃには絞りが配置され、トラッキング部１０Ｄには撮影レンズ１０の結像面の位置を調整するために駆動されるトラッキングレンズが配置されている。
【００１３】
各部１０Ａ〜１０Ｄに配置されたフォーカスレンズ、ズームレンズ、絞り、トラッキングレンズはそれぞれ、例えば撮影レンズ１０の鏡胴に装着されるドライブユニット１４Ａ〜１４Ｄの各モータに連結され、各モータによって駆動されるようになっている。また、各ドライブユニット１４Ａ〜１４Ｄは、コントロールユニット１６の所定端子にケーブル等で接続され、各ドライブユニット１４Ａ〜１４Ｄのモータは、コントロールユニット１６から与えられる駆動信号により駆動されるようになっている。従って、フォーカスレンズ、ズームレンズ、絞り、トラッキングレンズは、コントロールユニット１６からの駆動信号に従って駆動される。
【００１４】
コントロールユニット１６は、詳細を後述するようにオートフォーカスやトラッキング調整の処理等を実行するための回路を内蔵した装置である。
【００１５】
コントロールユニット１６の所定端子には、カメラ本体１２の映像信号出力端子１２Ａがケーブル等によって接続されており、撮影レンズにより結像された画像をカメラ本体１２の撮像素子により光電変換して得られた映像信号がコントロールユニット１６に与えられるようになっている。コントロールユニット１６は、オートフォーカスによるピント合わせを実行する際には詳細を後述するようにコントラスト方式のオートフォーカス処理によりその映像信号に基づいてフォーカスレンズやトラッキングレンズを駆動してピント合わせを行う。
【００１６】
コントロールユニット１６の他の端子には、カメラ本体１２の制御端子１２Ｂがケーブル等によって接続されており、コントロールユニット１６の電源がカメラ本体１２から供給されると共に、各種信号のやり取りがカメラ本体１２と行われるようになっている。
【００１７】
また、撮影レンズ１０のフォーカスやズームは、コントロールユニット１６の所定端子に接続されたフォーカスコントローラ１８やズームコントローラ２０を用いてマニュアルで操作することができるようになっており、コントロールユニット１６には、フォーカスコントローラ１８やズームコントローラ２０に設けられたマニュアル操作部材の操作に基づく指令信号が与えられるようになっている。コントロールユニット１６は、各コントローラ１８、２０から与えられる指令信号に基づいてフォーカスレンズやズームレンズを駆動することにより、マニュアルでのフォーカス、ズームの操作を可能にする。尚、絞りやトラッキングレンズについても同様にコントローラによってマニュアル操作できるようにすることは可能である。
【００１８】
また、コントロールユニット１６の所定端子には表示器２２が接続されており、その表示器２２には現在設定されているフォーカス位置の情報や、事前に記憶した所望のフォーカス位置の情報が表示されるようになっている。尚、表示器２２は、本システム専用のものではなく、例えば、市販されている携帯用コンピュータ等であってもよい。
【００１９】
図２は、上記システムにおけるオートフォーカス処理及びトラッキング調整処理に関連する構成を示したブロック図である。同図に示すＣＰＵ３０は上記コントロールユニット１６に内蔵されており、ＣＰＵ３０からは上記ドライブユニット１４Ａ〜１４Ｄのそれぞれに搭載されたフォーカスドライバ回路３２Ａ、ズームドライバ回路３２Ｂ、アイリスドライバ回路３２Ｃ、トラッキングドライバ回路３２Ｄに駆動信号が与えられ、上記ドライブユニット１４Ａ〜１４Ｄの各モータがＣＰＵ３０からの駆動信号に基づいて各ドライバ回路３２Ａ〜３２Ｄによって駆動されるようになっている。
【００２０】
また、ＣＰＵ３０とカメラ本体１２の制御端子１２Ｂとの間、及び、ＣＰＵ３０と表示器２２との間では各種信号の送受信が行われるようになっている。  一方、カメラ本体１２の映像出力端子１２Ａからコントロールユニット１６に与えられた映像信号は、焦点評価値生成部３４に入力されて画像のコントラストの高低を評価する焦点評価値が生成され、その焦点評価値がＣＰＵ３０に与えられるようになっている。
【００２１】
焦点評価値生成部３４は、主としてＡ／Ｄ変換器３６、ハイパスフィルタ（ＨＰＦ）３８、ゲート回路４０、加算器４２から構成される。コントロールユニット１６に入力された映像信号は、まず、Ａ／Ｄ変換器３６によりデジタル信号に変換される。尚、ここでの映像信号は、画面を構成する各画素の輝度値を示す輝度信号とする。Ａ／Ｄ変換器３６によってデジタル信号に変換された映像信号は続いてハイパスフィルタ（ＨＰＦ）３８に入力され高域周波数成分の信号が抽出される。そして、ＨＰＦ３８により抽出された信号はゲート回路４０に入力される。ゲート回路４０に入力された信号は、ＣＰＵ３０からの信号によって設定されるフォーカスエリア内（例えば、画面中央部）の画素に対応する範囲の信号のみを抽出され、加算器４２に入力される。そして、加算器４２により加算される。これにより、ＨＰＦ３８によって映像信号から抽出された高域周波数成分の信号のうち、フォーカスエリア内における信号の値の総和が求められる。これによって得られた値は、フォーカスエリア内における画像のコントラスト（鮮鋭度）の高低を示す焦点評価値であり、その評点評価値がＣＰＵ３０に与えられる。
【００２２】
ＣＰＵ３０は、焦点評価値生成部３４から与えられる焦点評価値を参照しながらいわゆる山登り方式によりフォーカスレンズ（又はトラッキングレンズ）を焦点評価値の極大点に移動させる。即ち、焦点評価値が増加する方向にフォーカスレンズを移動させて行き、焦点評価値が減少を示すと、焦点評価値が増加から減少に切り替わった位置を極大点（合焦点）と判断してその位置にフォーカスレンズを停止させる。これによりフォーカスエリア内の被写体にピントが合わせられる。
【００２３】
ところで、コントロールユニット１６には複数のスイッチから構成されるコントロールスイッチ４４が設けられており、それらのスイッチ状態を示すスイッチ信号がＣＰＵ３０に与えられるようになっている。ＣＰＵ３０は、コントロールスイッチ４４のスイッチ状態に基づいて以下に示すような処理を実行する。
【００２４】
まず、コントロールスイッチ４４の構成を示した図３を参照して、ＣＰＵ３０の処理の概要を説明する。同図においてＡＦスイッチ５０は、オンとオフとの状態に切り替えられるようになっており、オンの場合にはオートフォーカスが有効となり、オフの場合にはオートフォーカスが無効となる。ＡＦスイッチ５０がオフに設定されている場合、ＣＰＵ３０は、例えば、図１に示したフォーカスコントローラ１８等でのマニュアル操作に従ってフォーカスレンズ等を駆動する。
【００２５】
一方、ＡＦスイッチ５０がオンに設定されている場合には、フォーカシングスイッチ５２や、フルオープンスイッチ５４の設定状態に応じた処理に切り替え、また、スタートスイッチ５６がオンされた場合にそれらの処理を開始する。
【００２６】
ＡＦスイッチ５０がオンで、フォーカシングスイッチ５２が「ＦＯＣＵＳＩＮＧ」側  （オン）に設定されているとする。このときスタートスイッチ５６がオンされると、ＣＰＵ３０は、フォーカシングの処理を実行する。フォーカシングの処理ではワンショットオートフォーカス（ワンショットＡＦ）が実行される。ワンショットＡＦは、一度だけピント合わせを行うオートフォーカスであり、ＣＰＵ３０は、スタートスイッチ５６がオンされると、上述のように焦点評価値生成部３４から取得した焦点評価値に基づいてフォーカスレンズを駆動し、フォーカスレンズを合焦位置（焦点評価値の極大点）に設定する。そして、このようにフォーカスレンズを合焦位置に一度設定すると、焦点評価値が変化した場合であってもフォーカスレンズをその位置に停止させた状態で維持する。
【００２７】
また、具体的な処理手順については後述するが、このワンショットＡＦを実行する際に、フルオープンスイッチ５４がオンに設定されていた場合には、絞り駆動して絞りを開放（フルオープン）に設定し、その状態で上記ワンショットＡＦを実行する。これにより、焦点深度が浅い状態でオートフォーカスが実行され、高い精度でピント合わせが行われるようになる。これに対してフルオープンスイッチ５４がオフに設定されている場合には、絞りを開放にする処理は行わない。尚、本実施の形態におけるＡＦはいずれの場合もワンショットＡＦとしているが、ＡＦを連続的に実行する連続ＡＦであってもよい。
【００２８】
一方、フォーカシングスイッチ５２が「ＴＲＡＣＫＩＮＧ」側（オフ）に設定されている場合にスタートスイッチがオンされると、ＣＰＵ３０はトラッキング調整の処理を実行する。トラッキング調整の処理手順についての詳細は後述するが、トラッキング調整時には、フォーカスレンズやトラッキングレンズを駆動してワンショットＡＦと同様の処理が実行される。このとき無条件で絞りが開放に設定されるようになっており、高い精度でピント合わせが行われるようになっている。
【００２９】
尚、フォーカシングやトラッキング調整の処理を実行する際に絞りを開放に設定する場合、ＣＰＵ３０は、カメラ本体１２に対して制御端子１２Ｂ（図１参照）を通じてフルオープンモードであることを送信する。これによって、カメラ本体１２では、絞りを開放にした場合に得られる映像信号が適正なレベルとなるようにＮＤフィルタや電子シャッタ等により露出調整が行われる。そして、露出調整（又は、その準備）が適正に行われると、カメラ本体１２から絞りを開放に設定させる旨のフルオープン指令が制御端子１２Ｂを通じてＣＰＵ３０に送信される。通常、絞りの制御は、カメラ本体１２から与えられる制御信号に従って行われるため、この場合もＣＰＵ３０はカメラ本体１２から与えられたフルオープン指令を受信すると、それに従って絞りを開放に設定する。ただし、カメラ本体１２からのフルオープン指令を受けることなく、フルオープンモードであることを認識してＣＰＵ３０が絞りを開放に設定するようにしてもよい。
【００３０】
図３のマーキングスイッチ５８は、フォーカスレンズ位置（フォーカス位置）の記録を指示するスイッチであり、このマーキングスイッチ５８がオンされると、ＣＰＵ３０は、現在のフォーカス位置を取得し、そのフォーカス位置を図１に示した表示器２２に表示させる。具体的には、現在のフォーカス位置（マーキングスイッチ５８がオンされたときのフォーカス位置）を示す値として、例えば、フォーカスレンズの位置をポテンショメータによって検出した値を図１に示したドライブユニット１４Ａから取得することもできるが、本実施の形態では、ＣＰＵ３０からドライブユニット１４Ａに駆動信号を出力してフォーカスレンズを所望の位置に移動させる際にＣＰＵ３０においてその移動目標位置を示す値として設定されるフォーカス制御値の現在値を現在のフォーカス位置を示す値として用いる。そして、ＣＰＵ３０は、現在のフォーカス制御値と、マーキングする旨のマーキング信号を表示器２２に送信する。
【００３１】
ここで、表示器２２の画面上での表示例を図４に示す。表示器２２の画面７０には、フォーカスレンズの位置に対応した撮影距離のメモリ７２（同図では約３ｍ〜∞までのメモリ）が表示されると共に、現在のフォーカス位置を示す棒状の指標７４が表示される。現在のフォーカス位置は上述のようにＣＰＵ３０から逐次与えられるフォーカス制御値によって変更され、それに伴って指標７４が画面上を移動し、指標７４が現在のフォーカス位置に対応するメモリ値に合わせられるようになっている。
【００３２】
メモリ７２の左側には、上記マーキングスイッチ５８によりマーキングが指示されたときのフォーカス位置（マーキング位置）がマーク７６、７６、７６により表示されるようになっている。即ち、表示器２２は、ＣＰＵ３０からマーキング信号と共に与えられたフォーカス制御値を記憶し、そのフォーカス制御値に対応する画面上の位置にマークを表示させる。マーキング位置は複数設定することができ、各マーク７６はそれぞれ異なる色で表示されるようになっている。尚、各マーク７６の色を変えるのではなく、形状等を変えるようにしてもよい。また、マーキング位置のマークは意図的に消去しない限り表示され、ＡＦスイッチ５０がオフのときのマニュアルフォーカス時においても表示される。
【００３３】
ところで、本システムは映画撮影での用途に特化されたシステムである。映画撮影では、通常、本番の撮影前に撮影レンズ（光学系）１０やカメラ本体１２の撮影条件を設定するためのテスト撮影が行われる。その際、上述のように絞りを開放にしたオートフォーカスにより本番時と同様の距離にある被写体にピントを合わせて、そのときのフォーカス位置をマーキングしておき、本番の撮影時にフォーカスをそのフォーカス位置に設定するようにすると、ボケのない映像を撮影することができる。即ち、テスト撮影時には、本番撮影時における絞りの設定状態よりも焦点深度が浅い状態でピント合わせが行われるため、テスト撮影時と本番撮影時とで被写体の距離が完全に一致しなかったとしてもボケのない映像が得られる。
【００３４】
また、本番撮影時のフォーカス操作は、通常マニュアル操作で行われるため、テスト撮影時にオートフォーカスにより設定したフォーカス位置を上述のようにマーキングスイッチ５８をオンして記録（マーキング）し、そのフォーカス位置を表示器２２に表示させておくと効果的である。本番撮影時には表示器２２を見ながらマニュアル操作でフォーカスを操作し、表示器２２に表示された所望のマーク７６に指標７４を合わせるようにすれば、容易且つ確実にテスト撮影時のオートフォーカスにより設定されたフォーカス位置を再現することができる。
【００３５】
尚、表示器２２によりフォーカスをコントロールできるようにしてもよく、また、所定の操作により所望のマーク７６のフォーカス位置（マーキング位置）にフォーカスを設定することを指定すると、その旨の指示がＣＰＵ３０に送信され、指定したマーキング位置にフォーカスレンズが設定されるようにしてもよい。
【００３６】
次に、上記ＣＰＵ３０の処理手順を図５のフローチャートで説明する。まず、ＣＰＵ３０は所要の初期設定を行った後（ステップＳ１０）、オートフォーカス（トラッキング調整も含む）以外の処理を実行する（ステップＳ１２）。続いてＡＦスイッチ５０がオンか否かを判断する（ステップＳ１４）。ＮＯと判定した場合にはステップＳ１２に戻る。一方、ＹＥＳと判定した場合には、マーキングスイッチ５８がオンされたか否かを判定する（ステップＳ１６）。尚、マーキングスイッチ５８がオンされるのは一度フォーカシングの処理が実行された後であることが一般的である。マーキングスイッチ５８がオンされた場合には、表示器２２にマーキング信号と現在のフォーカス制御値を送信する（ステップＳ１８）。マーキングスイッチ５８がオンされなかった場合にはステップＳ１８の処理を行わない。
【００３７】
次に、ＣＰＵ３０は、スタートスイッチ５６がオンされた否かを判定する（ステップＳ２０）。ＮＯと判定した場合には上記ステップＳ１６に戻る。一方、ＹＥＳと判定した場合には続いてフォーカシングスイッチ５２がオンに設定されているか否かを判定する（ステップＳ２２）。ここで、ＹＥＳと判定した場合にはフォーカシングの処理を開始し、一方、ＮＯと判定した場合にはトラッキング調整の処理を開始する。
【００３８】
ステップＳ２２でＹＥＳと判定し、フォーカシングの処理を開始する場合、ＣＰＵ３０は続いてフルオープンスイッチ５４がオンに設定されているか否かを判定する（ステップＳ２４）。ＹＥＳと判定した場合には、まず、カメラ本体１２に対してフルオープンモードであることを送信する（ステップＳ２６）。これにより、カメラ本体１２に対して絞り開放での適正な露出調整を行わせる。そして、カメラ本体１２からフルオープン指令があるか否かを判定する（ステップＳ２８）。ここでＮＯと判定している間はこの判定を繰り返し、ＹＥＳと判定すると、絞りを開放に設定する（ステップＳ３０）。そして、フォーカスレンズを駆動してワンショットＡＦの処理を実行する（ステップＳ３２）。ワンショットＡＦによるピント合わせが完了すると、ＡＦ完了をカメラ本体１２に通知し、カメラ本体１２での露出調整や絞り等を通常の状態に復帰させる（ステップＳ３４）。
【００３９】
上記ステップＳ２４においてＮＯと判定した場合にはステップＳ２６〜ステップＳ３０までの絞り開放の処理を行わずにステップＳ３２からの処理を実行する。ステップＳ３４の処理が終了すると、ステップＳ１４に戻る。
【００４０】
上記ステップＳ２２においてＮＯと判定した場合、即ち、トラッキング調整の処理を実行する場合、ＣＰＵ３０は、まず、カメラ本体１２に対してフルオープンモードであることを送信する（ステップＳ３６）。これにより、カメラ本体１２に対して絞り開放での適正な露出調整を行わせる。そして、カメラ本体１２からフルオープン指令があるか否かを判定する（ステップＳ３８）。ここでＮＯと判定している間はこの判定を繰り返し、ＹＥＳと判定すると、絞りを開放に設定する（ステップＳ４０）。
【００４１】
次に、ＣＰＵ３０は、ズームレンズを駆動し、ズームをワイド端に移動させる（ステップＳ４２）。そして、トラッキングレンズを駆動してワンショットＡＦの処理を実行する（ステップＳ４４）。即ち、焦点評価値生成部３４から得られる焦点評価値が極大となる位置にトラッキングレンズを設定する。次に、ズームをテレ端に移動させる（ステップＳ４６）。そして、フォーカスレンズを駆動してワンショットＡＦの処理を実行する（ステップＳ４８）。これらのステップＳ４２〜ステップＳ４８の処理が終了すると、今回のステップＳ４２〜ステップＳ４８の処理が３回目か否かを判定する（ステップＳ５０）。ＮＯと判定した場合にはステップＳ４２からの処理を繰り返す。一方、ＹＥＳと判定した場合には、ＡＦ完了をカメラ本体１２に通知し、カメラ本体１２での露出調整や絞り等を通常の状態に復帰させる（ステップＳ５２）。ステップＳ５２の処理が終了するとステップＳ１４に戻る。
【００４２】
【発明の効果】
以上説明したように本発明に係るレンズ制御システムによれば、オートフォーカスによりピント合わせしたときのフォーカス位置が所定の指示手段の指示によって記録され、マニュアルフォーカスによるピント合わせ時に所定の表示手段にその位置が表示されるため、オートフォーカスによりピント合わせしたときのフォーカス位置を容易にマニュアルフォーカスによるピント合わせ時に再現することができる。従って、本発明を映画撮影用のレンズ制御システムに用いた場合に、テスト撮影時にオートフォーカスを用いて所定の被写体に高精度にピント合わせを行い、本番撮影時にテスト撮影時のフォーカス位置をマニュアルフォーカスにより容易に再現することができるようになるため好適である。
【図面の簡単な説明】
【図１】図１は、本発明が適用される撮影システムの構成を示したブロック図である。
【図２】図２は、コントロールユニットの構成を示したブロック図である。
【図３】図３は、コントロールスイッチの構成を示した図である。
【図４】図４は、表示器での表示態様を例示した図である。
【図５】図５は、ＣＰＵの処理手順を示したフローチャートである。
【符号の説明】
１０…撮影レンズ、１０Ａ…フォーカス部、１０Ｂ…ズーム部、１０Ｃ…アイリス部、１０Ｄ…トラッキング部、１２…カメラ本体、１４Ａ〜１４Ｄ…ドライブユニット、１６…コントロールユニット、１８…フォーカスコントローラ、２２…表示器、３０…ＣＰＵ、３２Ａ…フォーカスドライバ回路、３２Ｂ…ズームドライバ回路、３２Ｃ…アイリスドライバ回路、３２Ｄ…トラッキングドライバ回路、３４…焦点評価値生成部、３６…Ａ／Ｄ変換器、３８…ハイパスフィルタ、４０…ゲート回路、４２…加算器、４４…コントロールスイッチ、５０…ＡＦスイッチ、５２…フォーカシングスイッチ、５４…フルオープンスイッチ、５６…スタートスイッチ、５８…マーキングスイッチ
【図１】
2004258086.tif 000003
【図２】
2004258086.tif 000004
【図３】
2004258086.tif 000005
【図４】
2004258086.tif 000006
【図５】
2004258086.tif 000007